(57)【特許請求の範囲】
【請求項１】
所定の径の第1のスピンドル孔を有する第１のディスクカートリッジに収納された第１のディスク状記録媒体と、前記第１のディスクカートリッジのスピンドル孔よりも径の小さな第２のスピンドル孔を有する第２のディスクカートリッジに収納された第２のディスク状記録媒体とを同一のスピンドルモータで回転駆動するためのディスククランプ装置において、
前記スピンドルモータの出力軸に固定され、前記第１のディスク状記録媒体の使用時に前記第1のスピンドル孔を介して該第１のディスク状記録媒体を担持する第１のターンテーブルと、
この第１のターンテーブルの内周側に該第１のターンテーブルと同軸的にかつ前記出力軸の軸方向に移動可能に配置され、前記第２のディスク状記録媒体の使用時に前記第２のスピンドル孔を介して該第２のディスク状記録媒体を担持する第２のターンテーブルと、
この第２のターンテーブルを前記出力軸の上限方向に押し上げて、付勢によりこの第２のターンテーブル上部を前記第1のターンテーブルよりも突出せしめる第１の圧縮コイルバネと、
前記第２のターンテーブルの内周側に第１および第２のターンテーブルと同軸的にかつ前記軸方向に移動可能に配置され、前記第１のディスク状記録媒体のセンタリングを行うためのセンタリング部材と、
このセンタリング部材を前記出力軸の上限方向に押し上げて、付勢によりこのセンタリング部材上部を前記第２のターンテーブルよりも突出せしめる第２の圧縮コイルバネと、
前記センタリング部材に連動するものであり、前記第２のディスク状記録媒体により前記センタリング部材が前記第２の圧縮コイルバネに抗して押圧された状態では、前記第２のターンテーブルと前記出力軸とを係止状態にし、前記押圧が開放された状態では、前記第２のターンテーブルと前記出力軸とを非係止する状態にするロック部材と、
前記出力軸の上部に配置されて前記第1のディスクカートリッジを押圧するもので、前記第１のディスクカートリッジの使用時は前記第1のディスクカートリッジを押圧するもので、前記第２のターンテーブルを前記第1のディスク状記録媒体が押圧し、前記センタリング部材がスピンドル穴に侵入し、前記第1のターンテーブルとともに前記第1のディスク状記録媒体を担持するクランプ機構と、
前記第２のディスクカートリッジの使用時は前記第２のディスクカートリッジと前記スピンドルモータとが近づくことで、前記センタリング部材を前記第２のディスク状記録媒体が押圧することに連動して前記係止状態を形成し、かつ前記第２のディスク状記録媒体が前記第２のターンテーブルに坦持されたとき、前記第２のディスク状記録媒体のセンターハブとの間で磁気チャッキング力を生じるように、前記出力軸の先端側周囲に設けられた永久磁石と、
を具備したことを特徴とするディスククランプ装置。
【請求項２】
前記ロック部材は、
前記第２のターンテーブルに設けられた第２のロックピンと、
このロックピンが係止、非係止できるように前記出力軸の周囲に形成されたロックピン孔と、
前記第２のディスク状記録媒体により前記センタリング部材が前記第２の圧縮コイルバネに抗して押圧されることに連動して前記第２のロックピンを押圧して前記係止状態にする第1のロックピンと
を具備したことを特徴とする請求項１記載のディスククランプ装置。
【発明の詳細な説明】
【０００１】
【発明の属する技術分野】
本発明は、ディスクカートリッジに収納された光ディスクなどののディスク状記録媒体をクランプしてスピンドルモータで回転駆動するためのディスククランプ装置に係り、特に現行のＣＤ−ＲＯＭおよび次世代のＳＤ−ＲＯＭ，ＳＤ−ＲＡＭと称されるディスク径１２０ｍｍの光ディスクと３．５インチタイプと称される次世代型の小型光ディスクなどの複数種類の規格のディスクを択一的に同一機構でチャッキングして駆動するためのディスククランプ装置に関する。
【０００２】
【従来の技術】
情報をレーザビームのような光ビームにより光学的に記録／再生できる光ディスクは種々の製品形態があるが、代表的なものの一つに再生専用ディスクとしてのＣＤ−ＲＯＭがある。このＣＤ−ＲＯＭを駆動するための現行の光ディスク駆動装置は、何れもＣＤ−ＲＯＭのみを駆動するための専用ドライブである。
【０００３】
一方、近年３．５インチタイプと称される次世代の小型光ディスクの開発も進められている。これと並行して３．５インチタイプの光ディスクのための光ディスク駆動装置も種々模索されているが、これも３．５インチタイプの光ディスクのみを駆動するための専用ドライブである。
【０００４】
このように光ディスク駆動装置が特定の光ディスクのための専用ドライブとして開発されている理由は、例えばＣＤ−ＲＯＭと３．５インチタイプの光ディスクは両者とも磁気チャッキングを採用しているにも拘らず、規格上そのクランプエリア（クランプ半径、クランプ高さ）が相違しており、ＣＤ−ＲＯＭ用のターンテーブルは３．５インチタイプの光ディスクが収納されたカートリッジのスピンドル孔よりも径が大きく、同一のターンテーブルではＣＤ−ＲＯＭと３．５インチタイプの光ディスクをチャッキングすることが実質上不可能であることが大きな原因となっているためである。
【０００５】
そこで、例えば特開平２−１７２０５４号公報に記載されているように、サイズの異なる２種類のディスク状記録媒体を同一のスピンドルモータで駆動可能とするために、各々のディスク状記録媒体をそれぞれ搭載するための２つの回転テーブル部材を具備したディスククランプ装置が提案されている。しかし、このディスククランプ装置では、ターンテーブルを移動させるための機構や、ターンテーブル選択のためにディスクを識別する機構が必要である。このため、構造が複雑で装置の小型化が難しくなるだけでなく、回転部が重くなるためスピンドルモータの消費電流が大きくなる問題があった。
【０００６】
さらに、上記特開平２−１７２０５４号公報に開示されたディスククランプ装置では、モータシャフト上に記録媒体のセンターハブの中心孔に係合するピン部材を設けている。そして、ピン部材をモータシャフトのネジ部に螺合すると共に、第１の回転テーブル部材をピン部材の外周のネジ部に螺合しておき、回転抑止部材によって第１の回転テーブル部材の回転を抑止した状態でモータを正逆回転させることにより、第１の回転テーブル部材並びにピン部材を上下方向にシフトさせる構成となっている。
【０００７】
従って、このディスククランプ装置では、偏心を抑えるために同方向のスパイラルに記録された２枚の基板を貼合せたディスク状記録媒体を駆動する場合、情報の記録／再生の際、２枚の基板の表裏に対応してスピンドルモータの回転方向を変えるため、いずれかの面で前記ネジ結合部が緩んで第１の回転テーブル部材並びにピン部材が下降するおそれがある。このような場合、ディスク状記録媒体が所定高さ位置に保持されなくなってしまう。
【０００８】
一方、特開昭６１−５４０８３号公報には、同一ディスクを異なる再生装置に装着できるようにするための円盤状情報記録媒体収納ケースが示されている。しかし、この構成ではディスクのクランプ高さを再生装置によらず揃えるためのアダプタの役割を果たすホルダー１３が上蓋と筐部２とで構成されるケースの外部に設けられ、ケースと嵌合しているためにケースの密閉性が悪く、さらにホルダー１３が突出しているため、置いた時の安定性や収納性が悪い。
【０００９】
さらに、３．５インチディスクカートリッジと、次世代ＳＤ−ＲＯＭカートリッジでは、カートリッジ厚みが規格より異なり、次世代ＣＤ−ＲＯＭカートリッジ厚みが３．５インチカートリッジ厚みより厚い。このために、外側の次世代のＣＤ−ＲＯＭディスクを取り付けるターンテーブルが固定で、内側の３．５インチディスク用ターンテーブルが移動するような場合には、ディスクの中心軸線が３．５インチディスクとＣＤ−ＲＯＭディスクで異なってしまう。これを回避するためには、情報の記録／再生を行う光学ヘッドを高さ方向に移動させるか、もしくはスピンドルモータを上下方向に移動させる必要があり、このための移動機構が複雑となるという問題がある。
【００１０】
【発明が解決しようとする課題】
上述したように、サイズの異なる２種類のディスク状記録媒体を同一のスピンドルモータで駆動可能とするために、２つの回転テーブル部材を備えた従来のディスククランプ装置では、質量の大きいターンテーブル移動機構などが必要となるために、装置の小型化に対応できず、また同一ディスクを異なる再生装置にできるようにケース外にアダプタを設けたものでは、ケースの密閉性と置いた時の安定性ならびに収納性が悪いという問題があった。
【００１１】
また、従来のディスククランプ装置では、回転テーブル部材をモータシャフトに対して上下方向にシフトさせるためにネジ締結を用いているので、情報の読み書きする際のスピンドルモータの回転方向が一方向に限定されてしまい、さらに偏心を抑圧するために同方向のスパイラル記録された２枚の基板を張り合わせたディスク状記録媒体を駆動することができないという問題があった。
【００１２】
さらに、ディスク状記録媒体のサイズが異なると、記録媒体の厚みも異なる。この場合には、ディスク状記録媒体上の情報を読み書きする際には、記録／再生用光学ヘッドの高さも必要となるが、この光学ヘッドの移動距離が限られているために、種類が異なる記録媒体が装着されても厚み方向の中心線ができるだけ同じになるように、ディスククランプ位置を決める必要がある。
【００１３】
本発明の目的は、スピンドルモータを正逆いずれの方向にも回転できる構造とし、かつ同一のスピンドルモータとチャッキング機構によってサイズの異なる複数種類のディスク状媒体をチャッキングして駆動できるディスククランプ装置を提供することにある。
【００１４】
また、サイズの異なる２種類のディスク状記録媒体が取り付けられても、ディスク状媒体の中心軸線がほとんど変わらないディスククランプ装置を提供することにある。
【００１５】
【課題を解決するための手段】
この発明は、所定の径の第1のスピンドル孔を有する第１のディスクカートリッジに収納された第１のディスク状記録媒体と、前記第１のディスクカートリッジのスピンドル孔よりも径の小さな第２のスピンドル孔を有する第２のディスクカートリッジに収納された第２のディスク状記録媒体とを同一のスピンドルモータで回転駆動するためのディスククランプ装置において、
前記スピンドルモータの出力軸に固定され、前記第１のディスク状記録媒体の使用時に前記第1のスピンドル孔を介して該第１のディスク状記録媒体を担持する第１のターンテーブルと、この第１のターンテーブルの内周側に該第１のターンテーブルと同軸的にかつ前記出力軸の軸方向に移動可能に配置され、前記第２のディスク状記録媒体の使用時に前記第２のスピンドル孔を介して該第２のディスク状記録媒体を担持する第２のターンテーブルと、この第２のターンテーブルを前記出力軸の上限方向に押し上げて、付勢によりこの第２のターンテーブル上部を前記第1のターンテーブルよりも突出せしめる第１の圧縮コイルバネと、前記第２のターンテーブルの内周側に第１および第２のターンテーブルと同軸的にかつ前記軸方向に移動可能に配置され、前記第１のディスク状記録媒体のセンタリングを行うためのセンタリング部材と、このセンタリング部材を前記出力軸の上限方向に押し上げて、付勢によりこのセンタリング部材上部を前記第２のターンテーブルよりも突出せしめる第２の圧縮コイルバネと、前記センタリング部材に連動するものであり、前記第２のディスク状記録媒体により前記センタリング部材が前記第２の圧縮コイルバネに抗して押圧された状態では、前記第２のターンテーブルと前記出力軸とを係止状態にし、前記押圧が開放された状態では、前記第２のターンテーブルと前記出力軸とを非係止する状態にするロック部材と、前記出力軸の上部に配置されて前記第1のディスクカートリッジを押圧するもので、前記第１のディスクカートリッジの使用時は前記第1のディスクカートリッジを押圧するもので、前記第２のターンテーブルを前記第1のディスク状記録媒体が押圧し、前記センタリング部材がスピンドル穴に侵入し、前記第1のターンテーブルとともに前記第1のディスク状記録媒体を担持するクランプ機構と、前記第２のディスクカートリッジの使用時は前記第２のディスクカートリッジと前記スピンドルモータとが近づくことで、前記センタリング部材を前記第２のディスク状記録媒体が押圧することに連動して前記係止状態を形成し、かつ前記第２のディスク状記録媒体が前記第２のターンテーブルに坦持されたとき、前記第２のディスク状記録媒体のセンターハブとの間で磁気チャッキング力を生じるように、前記出力軸の先端側周囲に設けられた永久磁石と、を具備する。
【００３７】
このようにスピンドルモータの出力軸と直接結合するチャック面を有するディスク状記録媒体およびチャック面を有しないディスク状記録媒体のいずれを回転駆動する場合にも何等問題なくクランプを行い、ディスク状記録媒体とスピンドルモータの出力軸とが結合される。従って、同一のメカニズムで例えば現行のＣＤ−ＲＯＭおよび次世代のＳＤ−ＲＯＭ，ＳＤ−ＲＡＭと称されるディスク径１２０ｍｍの光ディスクと３．５インチタイプと称される次世代型の小型の光ディスクとを択一的にチャッキングして光ディスク駆動装置に装着することが可能となる。
【００３８】
【発明の実施の形態】
（第１の実施形態）
図１〜図１２を参照して第１の実施形態を説明する。
本実施形態のディスククランプ装置は、所定の径のスピンドル孔を有する第１のディスクカートリッジ１０２に収納された第１の光ディスク１０１と、第１のディスクカートリッジ１０２のスピンドル孔よりも径の小さなスピンドル孔を有する第２のディスクカートリッジ１０４に収納された第２の光ディスク１０３とを同一のスピンドルモータ１１２で回転駆動するためのディスククランプ装置である。
【００３９】
このディスククランプ装置は、スピンドルモータ１１２の出力軸（以下、スピンドルモータ出力軸という）１３３に固定され、第１の光ディスク１０１の使用時に第１の光ディスク１０１を担持する第１のターンテーブル１２５と、この第１のターンテーブル１２５の内周側に該ターンテーブル１２５と同軸的にかつスピンドルモータ出力軸１３３の軸方向に移動可能に配置され、第２の光ディスク１０３の使用時に該光ディスク１０３を担持する第２のターンテーブル１１５と、この第２のターンテーブル１１５をスピンドルモータ出力軸１３３の軸方向に移動可能に保持するための第１の圧縮コイルバネ１１６と、第２のターンテーブル１１５の内周側に第１および第２のターンテーブル１２５，１１５と同軸的にかつスピンドルモータ出力軸１３３の軸方向に移動可能に配置され、第１の光ディスク１０１のセンタリングを行うためのセンタリング部材１１７と、このセンタリング部材１１７をスピンドルモータ出力軸１３３の軸方向に移動可能に保持するための第２の圧縮コイルバネ１１８と、第２のターンテーブル１１５とセンタリング部材１１７にそれぞれ配設され、第２の光ディスク１０３の使用時に第２の光ディスク１０３により押圧されてスピンドルモータ出力軸１３３に対する第２のターンテーブル１１５の回転および軸方向の移動を阻止する少なくとも一つのロック部材１１９ａ，１１９ｂ，１２１ａ，１２１ｂとを有する。
【００４０】
そして、第１の光ディスク１０１の使用時には、第２のターンテーブル１１５が第１の光ディスク１０１により第１のターンテーブル１２５の担持面と同一位置まで軸方向に移動し、且つセンタリング部材１１７が第１の光ディスク１０１のセンタリングを行うことにより、第１のターンテーブル１２５で第１の光ディスク１０１を担持する。また、第２の光ディスク１０３の使用時には、ロック部材１１９ａ，１１９ｂ，１２１ａ，１２１ｂが第２の光ディスク１０３により軸方向に押圧されてスピンドルモータ出力軸１３３に対する第２のターンテーブル１１５の回転および軸方向の移動を阻止することにより、第２のターンテーブル１１５で第２の光ディスク１０３を担持する。
【００４１】
まず、本実施形態に使用する図面について説明する。
図１は、第１の光ディスク（ディスク径１２０ｍｍの光ディスク）１０１がクランプされる前の第１の光ディスクカートリッジ（ディスク径１２０ｍｍの光ディスクカートリッジ）１０２とディスククランプ装置を含む光ディスク駆動装置の状態を示す簡略化した断面図である。また、図２はディスククランプ装置の断面図、図３はディスククランプ装置の要部を拡大して示す断面図である。
【００４２】
図４は、第１の光ディスク（ディスク径１２０ｍｍの光ディスク）１０１がクランプされた時の第１の光ディスクカートリッジ（ディスク径１２０ｍｍの光ディスクカートリッジ）１０２とディスククランプ装置を含む光ディスク駆動装置の状態を示す簡略化した断面図である。また、図５はディスククランプ装置の断面図、図６はディスククランプ装置の要部を拡大して示す断面図である。
【００４３】
図７は、第２の光ディスク（３．５インチタイプの光ディスク）１０３がクランプされる前の第２の光ディスクカートリッジ（３．５インチタイプの光ディスクカートリッジ）１０４とカートリッジアダプタ１０５およびディスククランプ装置を含む光ディスク駆動装置の状態を示す簡略化した断面図である。また、図８はディスククランプ装置の断面図、図９はディスククランプ装置の要部を拡大して示す断面図である。
【００４４】
図１０は、第２の光ディスク（３．５インチタイプの光ディスク）１０３がクランプされた時のカートリッジアダプタ５に収納された第２の光ディスクカートリッジ（３．５インチタイプの光ディスクカートリッジ）１０４とディスククランプ装置を含む光ディスク駆動装置の状態を示す簡略化した断面図である。また、図１１はディスククランプ装置の断面図、図１２はディスククランプ装置の要部を拡大して示す断面図である。
【００４５】
図１において、第１の光ディスクカートリッジ１０２内には第１の光ディスク１０１が回転自在に収納されている。第１の光ディスク１０１は、貼り合わせ・両面型又は単板の片面型のいずれでもよいディスク径１２０ｍｍの光ディスクである。第１の光ディスク１０１の中央部には、センター位置決めのための中心孔１０６が開けられている。光ディスクカートリッジ１０２の中央部両面にはスピンドル孔１０７ａ，１０７ｂが設けられており、また図示しない記録／再生用光学系から第１の光ディスク１０１に情報記録再生用レーザビームを照射して情報の記録／再生を行うためのアクセス窓と半径方向にスライド自在なシャッタ（いずれも図示せず）が設けられている。このシャッタは、光ディスクカートリッジ１０２の非使用状態では図示しないシャッタバネによってスピンドル孔１０７ａ，１０７ｂおよび図示しないアクセス窓を閉鎖し、光ディスクカートリッジ１０２の使用時のみこれらを開放させる。
【００４６】
一方、図７においては第２の光ディスクカートリッジ１０４内に第２の光ディスク１０３が回転自在に収納されている。第２の光ディスク１０３は、例えば貼り合わせ・両面型の３．５インチ光ディスクである。第２の光ディスク１０３の中央部両面には、金属薄板よりなるセンターハブ１０８ａ，１０８ｂが設けられており、これらのセンターハブ１０８ａ，１０８ｂにはセンター位置決めのための中心孔１０９ａ，１０９ｂが開けられている。
【００４７】
第２の光ディスクカートリッジ１０４の中央部両面にはスピンドル孔１１０ａ，１１０ｂが設けられている。第２の光ディスクカートリッジ１０４全体は、カートリッジアダプタ１０５に収容されており、このカートリッジアダプタ１０５には第２の光ディスクカートリッジ１０４のスピンドル孔１１０ａ，１１０ｂと連通したスピンドル孔１１１ａ，１１１ｂが設けられている。
【００４８】
また、第２の光ディスクカートリッジ１０４およびカートリッジアダプタ１０５には、図示しない記録／再生用光学系から第２の光ディスク１０３に情報記録再生用レーザビームを照射して情報の記録／再生を行うための連通したアクセス窓と、半径方向にスライド自在なシャッタ（いずれも図示せず）が設けられている。このシャッタは、第２の光ディスクカートリッジ１０４の非使用状態では図示しないシャッタバネによってスピンドル孔１１０ａ，１１０ｂおよび図示しないアクセス窓を閉鎖し、第２の光ディスクカートリッジ１０４の使用時のみこれら開放させる。
【００４９】
なお、カートリッジアダプタ１０５は前述した第１の光ディスクカートリッジ１０２と形状・大きさが同一、すなわち厚さおよび縦横の寸法が同一となっている。
【００５０】
次に、第１および第２の光ディスク１０１，１０３に対応したクランプ機構について、それぞれ詳細に説明する。
最初に、図１〜図６を用いて第１の光ディスク１０１に対応したクランプ機構について説明する。
図１において、第１の光ディスクカートリッジ１０２が所定の位置までローディングされるまでは、スピンドルモータ１１２、クランプ部材１１３および位置規制部材１１４は、第１の光ディスクカートリッジ１０２と物理的に干渉しない位置にある。この時、スピンドルモータ１１２は図３に示す状態にある。すなわち、図３において第２のターンテーブル１１５は第１の圧縮コイルバネ１１６によりスピンドルモータ出力軸１３３の軸方向の上限位置にある。センタリング部材１１７は、第２の圧縮コイルバネ１１８によりスピンドルモータ出力軸１３３の軸方向の上限位置にある。センタリング部材１１７と第２のターンテーブル１１５に渡って配設された第１のロックピン１１９ａ，１１９ｂはフリーな状態なので、第２のターンテーブル１１５に配設された第２のロックピン１２１ａ，１２１ｂは第３の圧縮コイルバネ１２３ａ，１２３ｂのバネ力によりロック解除位置にある。ここで、第１のロックピン１１９ａ，１１９ｂ、第２のロックピン１２１ａ，１２１ｂおよび第３の圧縮コイルバネ１２３ａ，１２３ｂの配置場所および配置個数は、必要に応じて任意に選択できることは言うまでもない。
【００５１】
次に、図４に示すように第１の光ディスクカートリッジ１０２が所定の位置までローディングされた後、クランプ部材１１３および位置規制部材１１４は、所定の位置までスピンドルモータ１１２の方向に、またスピンドルモータ１１２は所定の位置までクランプ部材１１３の方向に、それぞれ図示しない移動機構により移動する。なお、スピンドルモータ１１２が所定の位置までクランプ部材１１３の方向に移動する代わりに、第１の光ディスクカートリッジ１０２が図示しない移動機構により所定の位置までスピンドルモータ１１２の方向に移動する構成でもよいことは言うまでもない。そして、スピンドルモータ出力軸１３３に固定された永久磁石１３０とクランプ部材１１３に固定された磁性体１２９による磁気チャッキング力により、第１の光ディスク１０１は回転自在に第１のターンテーブル１２５とクランプ部材１１３によりクランプされる。この時のクランプ動作について図５を用いて説明する。
【００５２】
第１の圧縮コイルバネ１１６によりスピンドルモータ出力軸１３３の軸方向に移動可能に支持された第２のターンテーブル１１５は、第１のターンテーブル１２５のクランプ面と同じ位置まで第１の光ディスク１０１に押圧される。また、同時に第２の圧縮コイルバネ１１８によりスピンドルモータ出力軸１３３の軸方向に移動可能に支持されたセンタリング部材１１７は、第１の光ディスク１０１のセンタリングを行いながら、第１の光ディスク１０１によりスピンドルモータ出力軸１３３の軸方向に押圧される。そして、クランプ部材１１３に設けられたセンターピン孔１３１とセンターピン１２７が嵌合して、第１の光ディスク１０１が回転自在にクランプされる。
【００５３】
次に、図７〜図１２を用いて第２の光ディスク１０３に対応したクランプ機構について説明する。
図７において、第２の光ディスクカートリッジ１０４が所定の位置までローディングされるまでは、スピンドルモータ１１２、クランプ部材１１３および位置規制部１１４は、第２の光ディスクカートリッジ１０４と物理的に干渉しない位置にある。この時、スピンドルモータ１１２は図９に示す状態にある。すなわち、図９において第２のターンテーブル１１５は第１の圧縮コイルバネ１１６によりスピンドルモータ出力軸１３３の軸方向の上限位置にある。センタリング部材１１７は第２の圧縮コイルバネ１１８によりスピンドルモータ出力軸１３３の軸方向の上限位置にある。センタリング部材１１７と第２のターンテーブル１１５に渡って配設された第１のロックピン１１９ａ，１１９ｂはフリーな状態なので、第２のターンテーブル１１５に配設された第２のロックピン１２１ａ，１２１ｂは第３の圧縮コイルバネ１２３ａ，１２３ｂのバネ力によりロック解除位置にある。ここで、第１のロックピン１１９ａ，１１９ｂ、第２のロックピン１２１ａ，１２１ｂおよび第３の圧縮コイルバネ１２３ａ，１２３ｂの配置場所および配置個数は必要に応じて任意に配置してよいのは言うまでもない。
【００５４】
次に、図１０は第２の光ディスク（３．５インチタイプの光ディスク）１０３がクランプされた時のカートリッジアダプタ１０５に収納された第２の光ディスクカートリッジ（３．５インチタイプの光ディスクカートリッジ）１０４とディスククランプ装置の状態を示す簡略化した断面図である。第２の光ディスクカートリッジ１０４が所定の位置までローディングされた後、スピンドルモータ１１２は所定の位置までクランプ部材１１３の方向に、図示しない移動機構により移動する。なお、スピンドルモータ１１２が所定の位置までクランプ部材１１３の方向に移動する代わりに、カートリッジアダプタ１０５が図示しない移動機構により所定の位置までスピンドルモータ１１２の方向に移動する構成でもよいことは言うまでもない。そして、スピンドルモータ出力軸１３３に固定された永久磁石１３０とセンターハブ１０８ａ，１０８ｂによる磁気チャッキング力により、第２の光ディスク１０３は回転自在に、第２のターンテーブル１２５にクランプされる。この時のクランプ動作について、図１１および図１２を用いて説明する。
【００５５】
第２の圧縮コイルバネ１１８によりスピンドルモータ出力軸１３３の軸方向に移動可能に支持されたセンタリング部材１１７は、第２の光ディスク１０３に所定の位置まで押圧される。また、このとき第１のロックピン１１９ａ，１１９ｂが第２の光ディスク１０３によりスイッチモータ出力軸１３３の軸方向に押圧される。これにより、第１のロックピン１１９ａ，１１９ｂがスピンドルモータ出力軸１３３と垂直方向に第２のロックピン１２１ａ，１２１ｂを押圧し、スピンドルモータ出力軸１３３に設けられたロックピン孔１３２ａ，１３２ｂとそれぞれ嵌合する。この時、スピンドルモータ出力軸１３３を低速で回転させることにより、第２のロックピン１２１ａ，１２１ｂとロックピン孔１３２ａ，１３２ｂはそれぞれ容易に嵌合させることができる。よって、第２のターンテーブル１１５は、スピンドルモータ出力軸１３３の軸方向および回転方向はもとより、全ての方向に動かないように確実にロックされる。そして、第２の光ディスク１０３に設けられた中心孔１０９ａ，１０９ｂとセンターピン１２７が嵌合して、第２の光ディスク１０３が回転自在にクランプされる。
【００５６】
このように本実施形態のディスククランプ装置においては、第１の光ディスク１０１の使用時には、第１の圧縮コイルバネ１１６によりスピンドルモータ出力軸１３３の軸方向に移動可能に保持された第２のターンテーブル１１５が第１の光ディスク１０１により第１のターンテーブル１２５の担持面と同一位置までスピンドルモータ出力軸１３３の軸方向に移動し、かつ第２の圧縮コイルバネ１１８によりスピンドルモータ出力軸１３３の軸方向に移動可能に保持されたセンタリング部材１１７は、第１の光ディスク１０１のセンタリングを行い、第１のターンテーブル１２５で第１の光ディスク１０１を担持する。
【００５７】
一方、第２の光ディスク１０３の使用時には、ロック部材１１９ａ，１１９ｂ，１２１ａ，１２１ｂが第２の光ディスク１０３によりスピンドルモータ出力軸１３３の軸方向に押圧されて、スピンドルモータ出力軸１３３に対して第２のターンテーブル１１５がロックされ、第２のターンテーブル１１５で第２の光ディスク１０３を担持する。
【００５８】
従って、スピンドルモータを正逆いずれの方向に回転させた場合にも何等問題なく、同一のメカニズムで例えば現行のＣＤ−ＲＯＭおよび次世代のＳＤ−ＲＯＭ、ＳＤ−ＲＡＭと称されるディスク径１２０ｍｍの光ディスクと、３．５インチタイプと称される次世代型の小型の光ディスクとを択一的にチャッキングして光ディスク駆動装置に装着することが可能となる。
【００５９】
（第２の実施形態）
図１３〜図１６を参照して第２の実施形態について説明する。
本実施形態のディスククランプ装置は、所定の径のスピンドル孔を有する第１のディスクカートリッジ２０２に収納された第１の光ディスク２０１と、第１のディスクカートリッジ２０２のスピンドル孔よりも径の小さなスピンドル孔を有する第２のディスクカートリッジ２０５に収納された第２の光ディスク２０３とを同一のスピンドルモータ２１２で回転駆動するためのディスククランプ装置である。
【００６０】
このディスククランプ装置は、スピンドルモータ２１２の出力軸（以下、スピンドルモータ出力軸という）２１５の周面の軸方向に所定距離離間した上側および下側の位置に、円周方向に沿って第１および第２の切り欠き溝２２３ａ，２２３ｂを形成すると共に、軸方向に移動可能に配置され、第１の光ディスク２０１を担持する第１のターンテーブル２１６と、この第１のターンテーブル２１６の内周側に位置して第１のターンテーブル２１６と同軸的にスピンドルモータ出力軸２１５に固定され、第２の光ディスク２０３を担持する第２のターンテーブル２１７と、第１および第２の光ディスク２０１，２０３のセンタリングをそれぞれ行うための第１および第２のセンタリング部材２１８，２２７と、第１のターンテーブル２１６内に設けられ、スピンドルモータ出力軸２１５の直径より小さな直径を有する少なくとも一つの固体用玉２２２と該固体用玉２２２を第１および第２の切り欠き溝２２３ａ，２２３ｂのいずれかに押し付けるための少なくとも一つの予圧用バネ部材２２０，２２１を含み、出力軸２１５に対する第１のターンテーブル２１６の回転および軸方向の移動を阻止するロック部材と、第１の光ディスク２１０の使用時には、固体用玉２２２が第１の切り欠き溝２２３ａに押し付けられ、第２の光ディスク２０３の使用時には、固体用玉２２２が第２の切り欠き溝２２３ｂに押し付けられるように第１のターンテーブル２１６を軸方向に移動させる移動機構（図示せず）とを有する。
【００６１】
図１３は、第１の光ディスク（ディスク径１２０ｍｍの光ディスク）２０１がクランプされた状態を示す第１の光ディスクカートリッジ（ディスク径１２０ｍｍの光ディスクカートリッジ）２０２とディスククランプ装置を含む光ディスク駆動装置の簡略化した断面図である。また、図１４はディスククランプ装置の断面図である。
【００６２】
図１３において、第１の光ディスクカートリッジ２内には第１の光ディスク２０１が回転自在に収納されている。第１の光ディスク２０１は、貼り合わせ・両面型または単板の片面型のいずれでも構わないディスク径１２０ｍｍの光ディスクである。光ディスクカートリッジ２０２の中央部には、センター位置決めのための中心孔２０６が設けられている。光ディスクカートリッジ２０２の中央部両面にはスピンドル孔２０７ａ，２０７ｂが設けられており、また、図示しない記録／再生用光学系から第１の光ディスク２０１に情報記録再生用レーザビームを照射して情報の記録／再生を行うためのアクセス窓と半径方向にスライド自在なシャッタ（いずれも図示せず）が設けられている。このシャッタは、光ディスクカートリッジ２０２の非使用状態では、図示しないシャッタバネによってスピンドル孔２０７ａ，２０７ｂおよび図示しないアクセス窓を閉鎖し、光ディスクカートリッジ２０２の使用時のみこれらを解放させる。
【００６３】
図１５は、第２の光ディスク（３．５インチタイプの光ディスク）２０３と第２の光ディスクカートリッジ（３．５インチタイプ光ディスク）２０４がクランプされた状態を示すディスククランプ装置を含む光ディスク駆動装置の簡略化した断面図である。また、図１６はディスククランプ装置の断面図である。
【００６４】
図１５においては、第２の光ディスクカートリッジ２０４内には第２の光ディスク２０３が回転自在に収納されている。第２の光ディスクカートリッジ２０３は、例えば貼り合わせ・両面型の３．５インチ光ディスクである。第２の光ディスク２０３の中央部には、金属薄板よりなるセンターハブ２０８ａ，２０８ｂが設けられており、これらのセンターハブ２０８ａ，２０８ｂにはセンター位置決めのための中心孔２０９ａ，２０９ｂが開けられている。第２の光ディスクカートリッジ２０４の中央部両面には、スピンドル孔２１０ａ，２１０ｂが設けられている。また、光ディスクカートリッジ２０４には、図示しない記録／再生用光学系から第２の光ディスク２０３に図示しない情報記録再生用レーザビームを照射して、図示していない情報の記録／再生を行うためのアクセス窓と半径方向にスライド自在なシャッタ（いずれも図示せず）が設けられている。このシャッタは、第２の光ディスクカートリッジ２０４の未使用状態では、図示しないシャッタバネとスピンドル孔２１０ａ，２１０ｂおよび図示しないアクセス窓を閉鎖して、第２の光ディスクカートリッジ２０４の使用時のみこれらを解放させる。
【００６５】
次に、第１および第２の光ディスク２０１，２０３に対応したクランプ機構について、それぞれ詳細に説明する。
最初に、図１３〜図１４を用いて第１の光ディスク２０１に対応したクランプ機構について説明する。
図１３において、第１の光ディスクカートリッジ２０２が所定の位置までローディングされた後、クランプ部材２１３および位置規制部材２１４は、所定の位置までスピンドルモータ２１２の方向に図示しない移動機構により移動する。ここで、第１の光ディスク（ディスク径１２０ｍｍの光ディスク）２０１は第１のターンテーブル２１６に載る。このとき、スピンドルモータ出力軸２１５の周面に全周に渡って形成された第１の切り欠き溝２２３ａに、固定用玉２２２が第１のターンテーブル２１６内にある予圧用バネ部材２２０，２２１により外周側から内周側に押し付けられることにより、第１のターンテーブル２１６が固定されている。
【００６６】
なお、切り欠き溝２２３ａ，２２３ｂは、スピンドルモータ出力軸２１５の全周にわたって形成されていてもよいが、固定用玉２２２と同数に分割化しても構わない。この分割の方法としては、溝を全周に切り欠いた後、ピン等によって分割する方式を採っても構わない。
【００６７】
こうして第１のターンテーブル２１６上に第１の光ディスク２０１が載り、さらに第１のターンテーブル２１６内にある磁石２１９とクランプ部材２１３内にある磁石２２６の離間力によって、第１の光ディスク２０１が第１のターンテーブル２１６に固定される。さらに、このときバネ部材２２５によって支持されているセンタリング部材２１８によって、第１の光ディスク２０１のセンタはスピンドルモータ出力軸２１５の軸芯と一致する。
【００６８】
このようにして、第１の光ディスク２０１が回転自在にクランプされる。
【００６９】
次に、図１５〜図１６を用いて第２の光ディスク（３．５インチタイプの光ディスク）２０３に対応したクランプ機構について説明する。
図１５において、第２の光ディスクカートリッジ２０４が所定の位置までローディングされた後、クランプ部材２１３は光ディスクカートリッジ２０４と干渉しない位置までスピンドルモータ２１２とは逆の方向に、図示しない移動機構により移動する。
【００７０】
第２の光ディスクカートリッジ２０４が挿入されると、第１のターンテーブル２１６内の固定用玉２２２がスピンドルモータ出力軸２１５の周面にある第２の切り欠き溝２２３ｂの方向に移動し、第１のターンテーブル２１６内にあるバネ部材２２５によって、第２の光ディスクカートリッジ２０４と第１のターンテーブル２１６が干渉しない位置で固定される。そして、第２の光ディスク２０３はスピンドルモータ出力軸２１５に固定されている第２のターンテーブル２１７上に載り、さらに第２の光ディスク２０３上にある薄板状の鉄片２０８ａもしくは２０８ｂ（裏面の場合）と磁石２２８によって固定される。この時、スピンドルモータ出力軸２１５上のセンタ位置決め部位２２７と第２の光ディスク２０３の軸芯が一致する。このようにして、第２の光ディスク２０２が回転自在にクランプされる。
【００７１】
このように本実施形態のディスククランプ装置では、第１の光ディスク２０１の使用時にはスピンドルモータ出力軸２１５の上側の第１の切り欠き溝２２３ａに第１のターンテーブル２１６にある固体用玉２２２が予圧用バネ部材２２０によって押し付けられて第１のターンテーブル２１６が固定される。これによって、第１のターンテーブル２１６が第１の光ディスク２０１を保持する。
【００７２】
また、第１の光ディスク２０１の外径よりも小さい第２の光ディスク２０３を使用する際には、第１のターンテーブル２１６がスピンドルモータ出力軸２１５の下側の第２の切り欠き溝２２３ｂに第１のターンテーブル２１６にある固体用玉２２２が同様に予圧用バネ部材２２０，２２１によって押し付けられることにより固定される。これにより、第２のディスクカートリッジ２０４と第１のターンテーブル２１６との間にクリアランスが形成されると共に、第２のターンテーブル２１７で第２の光ディスク２０３を固定することが可能となる。
【００７３】
このように異なる光ディスクが装着されても、光ディスクのセンタ位置をほとんど変えずに、第１ないしは第２の光ディスク２０１，２０３が所望のターンテーブル２１６，２１７に固定されるようにしたことにより、スピンドルモータ２１２を正逆のいずれの方向に回転させた場合にも何等問題なく、さらには同一のメカニズムで例えば現行のＣＤ−ＲＯＭおよび次世代のＳＤ−ＲＯＭ、ＳＤ−ＲＡＭと称されるディスク径１２０ｍｍの光ディスク媒体、そして３．５インチタイプと称される次世代小型の光ディスク媒体を択一的にチャッキングして光ディスク駆動装置に装着することが可能となる。
【００７４】
（第３の実施形態）
図１７〜図１９を参照して第３の実施形態を説明する。
本実施形態のディスククランプ装置は、第２の実施形態における移動機構の具体例を示したものである。この移動機構は、ディスククランプ装置に装着されるディスクカートリッジが第１および第２のディスクカートリッジ２０２，２０４のいずれかを識別し、その識別結果に基づき第１のターンテーブル２１６をスピンドルモータ出力軸２１５の軸方向のいずれかの方向に移動させるように構成されている。
【００７５】
まず、第１の光ディスク２０１に対応したクランプ機構について説明する。
【００７６】
図１７は、第１の光ディスク（ディスク径１２０ｍｍの光ディスク）２０１と第１の光ディスクカートリッジ（ディスク径１２０ｍｍの光ディスクカートリッジ）２０２がクランプされた状態を示すディスククランプ装置を含む光ディスク駆動装置の簡略化した断面図である。また、図１８はディスククランプ装置の断面図である。
【００７７】
第１の光ディスクカートリッジ２０２が所定の位置までローディングされた後、クランプ部材２１３および位置規制部材２１４は、所定の位置までスピンドルモータ２１２の方向に、図示しない移動機構により移動する。第１の光ディスクカートリッジ２０２がローディングされると同時に、光学的センサ２３１ａ，２３１ｂによってディスクカートリッジの形状が識別されることによりディスクカートリッジの種別が識別され、その識別結果が第１の光ディスクカートリッジ２０２の場合には、直動型ソレノイド２３３が図で上側方向（図上の矢印方向）に移動し、回転中心２３４の回りのロッド２３５が時計回り（図上の矢印方向）に回転移動する。ロッド２３５が時計回りに移動することにより、第１のターンテーブル２１６上に全周にわたり設けられている爪部位２３６を引っ掛けて、第１のターンテーブル２１６をクランプ部材２１３側に移動する。この移動後、第１のターンテーブル２１６はターンテーブル２１６内にある固体用玉２２２が予圧用バネ部材２２０，２２１に押圧されることにより、スピンドルモータ出力軸２１５上の第１の切り欠き溝２２３ａで固定される。このようにして、第１の光ディスク２０１が第１のターンテーブル２１６とクランプ部材２１３によって固定され、スピンドルモータ２１２によって回転駆動できるようにクランプされる。
次に、第２の光ディスク２０３に対応したクランプ機構について説明する。
【００７８】
図１９は、第２の光ディスク（３．５インチタイプの光ディスク）２０３と第２の光ディスクカートリッジ（３．５インチタイプ光ディスク）２０４がクランプされた状態を示すディスククランプ装置を含む光ディスク駆動装置の簡略化した断面図である。また、図２０はディスククランプ装置の断面図である。
【００７９】
第２の光ディスクカートリッジ２０４が所定の位置までローディングされた後、クランプ部材２１３は光ディスクカートリッジ２０４と干渉しない位置までスピンドルモータ２１２とは逆の方向に図示しない移動機構により移動する。
【００８０】
第２の光ディスクカートリッジ２０４がローディングされると同時に、光学的センサ２３１ａ，２３１ｂ間に遮蔽物がないため、第２の光ディスクカートリッジ２０４が挿入されていると識別される。この識別結果に基づいて、直動型ソレノイド２３３が図中上下側方向（図上の矢印方向）に移動し、回転中心２３４まわりのロッド２３５が反時計回り（図上の矢印方向）に回転移動する。ロッド２３５が反時計回りに移動することにより、第１のターンテーブル２１６上に全周にわたり設けられている爪部位２３６を引っ掛けて、第１のターンテーブル２１６をスピンドルモータ２１２側に移動する。この移動後、第１のターンテーブル２１６はその内部にある固体用玉２２２が予圧用バネ部材２２０，２２１に押圧されることによって、スピンドル軸２１５上の第２の切り欠き溝２２３ｂで固定される。これにより、第２の光ディスクカートリッジ２０４が第１のターンテーブル２１６と干渉することなく、第２の光ディスク２０３が第２のターンテーブル２１７に載る。そして、第２の光ディスク２０３上にある鉄片２０８ａ，２０８ｂと第２のターンテーブル２１７上の磁石２２８間の磁気吸引力によって、さらにスピンドルモータ出力軸２１５のセンタ軸２２７と第２の光ディスク２０３のセンタ孔が嵌合することにより、第２の光ディスク２０３は第２のターンテーブル２１７に固定され、スピンドルモータ２１２によって回転駆動できるようにクランプされる。
【００８１】
なお、本実施形態ではディスクカートリッジの識別に光学的センサを用いた場合について述べたが、機械スイッチのような機械的なセンサを用いてもよいことは明らかである。
【００８２】
このように本実施形態のディスククランプ装置では、ディスクカートリッジ２０２または２０４がディスククランプ装置に装着されると同時に、ディスクカートリッジ形状の違いを光学的ないしは機械的スイッチにより識別して、この識別結果を基にして例えば直動型ソレノイドをオンまたはオフさせることによって、第１のターンテーブル２１６側面を上下方向のいずれかに移動させて、第１および第２の切り欠き溝２２３ａ，２２３ｂのいずれか一方に第１のターンテーブル２１６内にある固体用玉２２２を予圧用バネ部材２２０，２２１のバネ力によって押し付けることでターンテーブル２１６を正確な位置に固定して、第１ないしは第２の光ディスク２０１，２０３を第１ないし第２のターンテーブル２１６，２１７で保持することができる。
【００８３】
（第４の実施形態）
図２１〜図２４を参照して第４の実施形態を説明する。
本実施形態のディスククランプ装置は、第２の実施形態における移動機構の別の具体例を示したものである。この移動機構は、第１のセンタリング部材２１８と第１のターンテーブル２１６との間に配置され、第１のセンタリング部材２１８をスピンドルモータ出力軸２１５の軸方向の上側に予圧する第１のバネ部材２２５と、第１のターンテーブル２１６とスピンドルモータ２１２との間隙に配置され、第１のターンテーブル２１６をスピンドルモータ出力軸２１５の軸方向の下側に予圧する第２のバネ部材２４１とを有する。
【００８４】
そして、第１の光ディスク２０１の使用時には、第１のセンタリング部材２１８が第１のバネ部材２２５により押し上げられ、かつ第１のターンテーブル２１６が第２のバネ部材２４１により押し上げられることによって、固体用玉２２２が第１の切り欠き溝２２３ａに押し付けられ、第２の光ディスク２０３の使用時には、第２のディスクカートリッジ２０２の外形部およびディスク状ハブ部分によりそれぞれ第１のターンテーブル２１６および第１のセンタリング部材２１８が第１および第２のバネ部材２２５，２４１に抗して押し下げられることによって、固体用玉２２２が第２の切り欠き溝２２３ｂに押し付けられる構成となっている。
【００８５】
まず、第２の光ディスク２０３に対応したクランプ機構について説明する。
【００８６】
図２１は、第１の光ディスク（ディスク径１２０ｍｍの光ディスク）２０１と第１の光ディスクカートリッジ（ディスク径１２０ｍｍの光ディスクカートリッジ）２０２がクランプされた状態を示すディスククランプ装置を含む光ディスク駆動装置の簡略化した断面図である。また、図２２はディスククランプ装置の断面図である。
【００８７】
第２の光ディスクカートリッジ２０４が所定の位置までローディングされた後、クランプ部材２１３は光ディスクカートリッジ２０４と干渉しない位置まで、スピンドルモータ２１２とは逆の方向に図示しない移動機構により移動する。こうして第２の光ディスク２０３がローディングされると、第１のセンタリング部材２１８が第２の光ディスク２０３上の金属片２０８ａ（裏側の場合は２０８ｂ）に接触される。ローディングが進むと、このセンタリング部材２１８がスピンドルモータ２１２の方向に移動させられる。センタリング部材２１８がスピンドルモータ２１２側に移動すると、センタリング部材２１８中のロッド２４２が第１のターンテーブル２１６を下側に押圧し始め、第１のターンテーブル２１６がスピンドルモータ出力軸２１５の第１の切り欠き溝２２３ａに固定されていたロックを外す。
【００８８】
そして、ロックが外れた第１のターンテーブル２１６は、さらにセンタリング部材ロッド２４２によってスピンドルモータ２１２側に押圧されて、スピンドルモータ出力軸２１５の第２の切り欠き溝２２３ｂに固定される。この時、スピンドルモータ２１２のターンテーブルと回転する箇所と第１のターンテーブル２１６との間には第２のバネ部材２４１があり、常に第１のターンテーブル２１６を押し上げようとする力が作用するが、第２の光ディスク２０３を固定するための第２の光ディスク２０３上の金属片２０８ａ，２０８ｂとスピンドルモータ出力軸２１５上の磁石による磁気吸引力により、センタリング部材２１８にある第１のバネ部材２２５の押し付け荷重が常にスピンドルモータ２１２側に作用する。このため、第１のターンテーブル２１６内にある固体用玉２２２がスピンドルモータ出力軸２１５の第２の切り欠き溝２２３ｂに安定してロックされる。このようにして、第２の光ディスク２０３は第１のターンテーブル２１６と干渉することなく、第２のターンテーブルにクランプされ、回転自在となる。
【００８９】
次に、第２の光ディスク２０３がアンローディングされる場合の動作について説明する。第２の光ディスク２０３がアンローディングされると、それまでスピンドルモータ２１２側に作用していた第１のセンタリング部材２１８内のバネ部材２２５の力が解放され、スピンドルモータ２１２と第１のターンテーブル２１６との間隙にある第２のバネ部材２４１による圧縮力が作用して、第１のターンテーブル２１６をクランプ部材２１３側に動かす。そして、第１のターンテーブル２１６内にある固体用玉２２２がスピンドルモータ出力軸２１５上の第２の切り欠き溝２２３ｂの位置から第１の切り欠き溝２２３ａの位置に移動して、新たに切り欠き溝２２３ａの位置で第１のターンテーブル２１６が固定される。
【００９０】
このようにして、第２の光ディスク２０３がローディングされた時のみ、第１のターンテーブル２１６がスピンドルモータ２１２側に移動できる機構となっている。
【００９１】
次に、第１の光ディスク２０２に対応したクランプ機構について簡単に説明する。
図２３は、第２の光ディスク（３．５インチタイプの光ディスク）２０３と第２の光ディスクカートリッジ（３．５インチタイプ光ディスク）２０４がクランプされた状態を示すディスククランプ装置を含む光ディスク駆動装置の簡略化した断面図である。また、図２４はディスククランプ装置の断面図である。
【００９２】
第１の光ディスクカートリッジ２０２が所定の位置までローディングされた後、クランプ部材２１３および位置規制部材２１４が所定の位置までスピンドルモータ２１２の方向に、図示しない移動機構により移動する。
【００９３】
前述したように、第１のターンテーブル２１６は第２の光ディスク２０３がローディングされない限り、常に固体用玉２２２がスピンドルモータ出力軸２１５上の第１の切り欠き溝２２３ａでロックされている。このため、第１の光ディスク２０１は第１のターンテーブル２１６上にクランプ部材２１３によって、スピンドルモータ２１２により回転駆動できるようにクランプされる。
【００９４】
さらに、第１の光ディスク２０１の軸芯とスピンドルモータ出力軸２１５の軸芯を合わせるために設けたセンタリング用部材２１８とそれを常に上側方向に予圧力をかけるための予圧用の第１のバネ部材２２５、また第１のターンテーブル２１６とスピンドルモータ出力軸２１５下側部の間に設けた予圧用の第２のバネ部材２４１を有し、第２の光ディスク２０３が装着されると、まずセンタリング部材２１８を下側に移動させる力が働き、スピンドルモータ出力軸２１５周面の上側の第１の切り欠き溝２２３ａで固定されていた第１のターンテーブル２１６内の固体用玉２２２が溝２２３ａから外れて、第１のターンテーブル２１６が下側に移動し始める。そして、さらに第２の光ディスク２０３が第２のターンテーブル２１６に近づくと、スピンドルモータ出力軸２１５周面の下側の第２の切り欠き溝２２３ｂに第１のターンテーブル２１６の固体用玉２２２が入り込み、正確な溝位置に固体用玉２２２が固定され、第１のターンテーブル２１６内の予圧用バネ部材２２０，２２１で内周側に予圧力が働く。これにより、第２の光ディスク２０３は第２のターンテーブル２１７に保持されると同時に第２のディスクカートリッジ２０４と第１のターンテーブル２１６との間にクリアランスが形成される。
【００９５】
そして、第２の光ディスク２０３が脱着されると、第１の光ディスク２０３の軸芯を合わせるためにあるセンタリング部材２１８が上側に解放されると同時に、第１のバネ部材２２５のバネ力も解放される。下側に押しつける力が無くなると同時に、第１のターンテーブル２１６とスピンドルモータ出力軸２１５の間にある第２のバネ部材２４１のバネ力が上側方向に作用して、スピンドルモータ出力軸２１５の下側の第２の切り欠き溝２２３ｂで固定されていた第１のターンテーブル２１６が上側方向に移動して、上側の第１の切り欠き溝２２３ａで固定される。すなわち、光ディスクが装着されていない状態では、第１のターンテーブル２１６は常に上側で固定される。
【００９６】
このようにして、第２の実施形態で説明したディスククランプ装置のクランプ動作を実現することができる。
【００９７】
（第５の実施形態）
図２５〜図３０を参照して第５の実施形態を説明する。
本実施形態のディスククランプ装置は、所定の径のスピンドル孔を有する第１のディスクカートリッジ３０２に収納された第１の光ディスク３０１と、第１のディスクカートリッジ３０２のスピンドル孔よりも径の小さなスピンドル孔を有する第２のディスクカートリッジ３０４に収納された第２の光ディスク３０３とを同一のスピンドルモータ３１２で回転駆動するためのディスククランプ装置である。
【００９８】
このディスククランプ装置は、スピンドルモータ３１２の出力軸（以下、スピンドルモータ出力軸という）３３３の軸方向に移動可能に配置され、第１の光ディスク３０１を担持する第１のターンテーブル３１５と、この第１のターンテーブル３１５の内周側に位置して第１のターンテーブル３１５と同軸的にスピンドルモータ出力軸３３３に固定され、第２の光ディスク３０３を担持する第２のターンテーブル３２５と、この第２のターンテーブル３２５の内周側に第１および第２のターンテーブル３１５，３２５と同軸的にかつスピンドルモータ出力軸３３３の軸方向に移動可能に配置され、第１の光ディスク３０１のセンタリングを行うためのセンタリング部材３１７と、第２のターンテーブル３２５の第２の光ディスク３０３を担持する面に対向して配設され、第１のターンテーブル３１５を磁気チャッキングする第１の磁気チャッキング機構（磁性体）３２９と、センタリング部材３１７の内側に設けられ、第２の光ディスク３０３のセンターハブを磁気チャッキングする第２の磁気チャッキング機構３１９と、第１のターンテーブル３１５とスピンドルモータ出力軸３３３との間に軸方向の引っ張り力を与える第１の付勢機構（引っ張りコイルバネ）３１６と、第２のターンテーブル３２５とセンタリング部材３１７との間にスピンドルモータ出力軸３３３の軸方向の離間力を与える第２の付勢機構（圧縮コイルバネ）３１８とを有する。
【００９９】
そして、第１または第２の光ディスク３０１，３０３をディスククランプ装置から解放する時に第１のターンテーブル３１５をスピンドルモータ出力軸３３３の軸方向に移動させる機構を備え、さらに第１または第２の光ディスク３０１，３０３のディスククランプ装置への未装着時に第１のターンテーブル３１５のクランプ面を第２のターンテーブル３２５のクランプ面より突出させる構成としたことを特徴とする。
【０１００】
まず、本実施形態に使用する図面について説明する。
【０１０１】
図２５は、第１の光ディスク（ディスク径１２０ｍｍ光ディスク）３０１がクランプされる前の第１の光ディスクカートリッジ（ディスク径１２０ｍｍの光ディスクカートリッジ）３０２とディスククランプ装置を含む光ディスク駆動装置の状態を示す簡略化した断面図である。また、図２６はディスククランプ装置の断面図である。
【０１０２】
図２７は、第１の光ディスク（ディスク径１２０ｍｍの光ディスク）３０１がクランプされた時の第１の光ディスクカートリッジ（ディスク径１２０ｍｍの光ディスクカートリッジ）３０２とディスククランプ装置を含む光ディスク駆動装置の状態を示す簡略化した断面図である。また、図２８はディスククランプ装置の断面図である。
【０１０３】
図２９は、第２の光ディスク（３．５インチタイプの光ディスク）３０３がクランプされた時の第２の光ディスクカートリッジ（３．５インチタイプの光ディスクカートリッジ）３０４とディスククランプ装置を含む光ディスク駆動装置の状態を示す簡略化した断面図である。また、図３０はディスククランプ装置の断面図である。
【０１０４】
図２５において、第１の光ディスクカートリッジ３０２内には第１の光ディスク３０１が回転自在に収納されている。第１の光ディスク３０１は、貼り合わせ・両面型又は単板の片面型のいずれでもよいディスク径１２０ｍｍの光ディスクである。第１の光ディスク３０１の中央部には、センター位置決めのための中心孔３０６が開けられている。光ディスクカートリッジ３０２の中央部両面にはスピンドル孔３０７ａ，３０７ｂが設けられており、また図示しない記録／再生用光学系から第１の光ディスク３０１に情報記録再生用レーザビームを照射して情報の記録／再生を行うためのアクセス窓と、半径方向にスライド自在なシャッタ（いずれも図示せず）が設けられている。このシャッタは、光ディスクカートリッジ３０２の非使用状態では図示しないシャッタバネによってスピンドル孔３０７ａ，３０７ｂおよび図示しないアクセス窓を閉鎖し、光ディスクカートリッジ３０２の使用時のみこれら開放させる。
【０１０５】
図２９においては、第２の光ディスクカートリッジ３０４内に第２の光ディスク３０３が回転自在に収納されている。第２の光ディスク３０３は、例えば貼り合わせ・両面型の３．５インチ光ディスクである。第２の光ディスク３０３の中央部両面には、金属薄板よりなるセンターハブ３０８ａ，３０８ｂが設けられており、これらのセンターハブ３０８ａ，３０８ｂにはセンター位置決めのための中心孔３０９が開けられている。第２の光ディスクカートリッジ３０４の中央部両面には、スピンドル孔３１０ａ，３１０ｂが設けられている。また、第２の光ディスクカートリッジ３０４には図示しない記録／再生用光学系から第２の光ディスク３０３に情報記録再生用レーザビームを照射して情報の記録／再生を行うための連通したアクセス窓と半径方向にスライド自在なシャッタ（いずれも図示せず）が設けられている。このシャッタは、第２の光ディスクカートリッジ４の非使用状態では、図示しないシャッタバネによってスピンドル孔３１０ａ，３１０ｂおよび図示しないアクセス窓を閉鎖し、第２の光ディスクカートリッジ３０４の使用時のみこれらを開放させる。
【０１０６】
次に、第１及び第２の光ディスク３０１，３０３に対応したクランプ機構について、それぞれ詳細に説明する。
最初に、図２５〜図２８を用いて第１の光ディスク３０１に対応したクランプ機構について説明する。
図２５において、第１の光ディスクカートリッジ３０２が所定の位置までローディングされるまでは、スピンドルモータ３１２、クランプ部材３１３及び位置規制部材３１４は、第１の光ディスクカートリッジ３０２と物理的に干渉しない位置にある。この時、スピンドルモータ３１２は図２６に示す状態にある。すなわち、図２６において第１のターンテーブル３１５はスピンドルモータ出力軸３３３に固定された引っ張り板３２１から第２の付勢力を与える引っ張りコイルバネ３１６により引っ張られた状態で、第２の磁気チャッキング機構３１９で吸着され、出力軸方向の上限位置にある。センタリング部材３１７は第２のターンテーブル３２５から第１の付勢力を与える圧縮コイルバネ３１８により押されてストッパ３２０に押し付けられ、スピンドルモータ出力軸３３３の方向の上限位置にある。この結果、第１のターンテーブル３１５と第２のターンテーブル３２５は結合された状態になっており、第１のターンテーブル３１５のクランプ面３１５ａは第２のターンテーブル３２５のクランプ面３２５ａより突出した状態になっている。
【０１０７】
次に、図２７に示すように第１の光ディスクカートリッジ３０２が所定の位置までローディングされた後、クランプ部材３１３及び位置規制部材３１４は、所定の位置までスピンドルモータ３１２の方向に、またスピンドルモータ３１２は所定の位置までクランプ部材３１３の方向に、それぞれ図示しない移動機構により移動する。ここで、スピンドルモータ３１２が所定の位置までクランプ部材３１３の方向に移動する代わりに、第１の光ディスクカートリッジ３０２が図示しない移動機構により所定の位置までスピンドルモータ３１２の方向に移動する構成でもよいことは言うまでもない。
【０１０８】
そして、スピンドルモータ出力軸３３３に固定された永久磁石３３０とクランプ部材３１３に固定された磁性体３２９による磁気チャッキング力により、第１の光ディスク３０１は回転自在に第１のターンテーブル３１５とクランプ部材３１３によりクランプされる。クランプ部材３１３に設けられたセンターピン孔３３１にセンターピン３２７が嵌合し、第１の光ディスク３０１が回転自在にクランプされる。このとき、第１の光ディスク３０１の中央部にあるセンター位置決めのための中心孔３０６にセンタリング部材３１７が入り、光ディスク３０１が精密に位置決めされる。
【０１０９】
次に、第２の光ディスク３０３に対応したクランプ機構について説明する。
【０１１０】
図２９において、第２の光ディスクカートリッジ３０４が所定の位置までローディングされた後、スピンドルモータ３１２は所定の位置までクランプ部材３１３の方向に、図示しない移動機構により移動する。ここで、スピンドルモータ３１２が所定の位置までクランプ部材３１３の方向に移動する代わりに、カートリッジ４が図示しない移動機構により所定の位置までスピンドルモータ３１２の方向に移動する構成でもよいことは言うまでもない。そして、スピンドルモータ３１２の出力軸３３３に固定された永久磁石３３０とセンターハブ３０８ａ，３０８ｂによる磁気チャッキング力により、第２の光ディスク３０３は回転自在に、第２のターンテーブル３２５にクランプされる。この時のクランプ動作について図３０を用いて説明する。
【０１１１】
第２のターンテーブル３２５から第１の付勢力を与える圧縮コイルバネ３１８により押されてストッパ３２０に押し付けられ、出力軸方向の上限位置にあるセンタリング部材３１７は、第２の光ディスク３０３に付勢力以上の力で押され、センターハブ３０８の下に押される。また、第１のターンテーブル３１５は第２の光ディスクカートリッジ３０４に押され、第２の磁気チャッキング機構３１９の吸引力以上の力が入ったとき第１のターンテーブル３１５は第２のターンテーブル３２５から離れ、第２の付勢力を与える引っ張りコイルバネ３１６により引っ張り板３１９の方向に第２のストッパ３２２に突き当たるまで引っ張られる。その結果、第１のターンテーブル３１５は第２の光ディスクカートリッジ３０４の下に移動する。そして、第２の光ディスク３０３に設けられた中心孔３０にセンターピン３２７が嵌合して、第２の光ディスク３０３が回転自在にクランプされる。
【０１１２】
第２の光ディスク３０３を解放するときに、解放動作と連動したレバー３２３により、第１のターンテーブル３１５を第２の磁気チャッキング位置まで移動させ、第１のターンテーブル３１５と第２のターンテーブル３２５を結合させる。この動作により、この後、第１の光ディスク３０１と第２の光ディスク３０３のいずれが挿入されても対応することができる。
【０１１３】
このように本実施形態のディスククランプ装置では、第１の光ディスク３０１の使用時には、スピンドルモータ出力軸３３３の軸方向に移動可能に保持されたセンタリング部材３１７が第１の光ディスク３０１のセンタリングを行い、第２のターンテーブル３２５のクランプ面より突出した第１のターンテーブル３１５のクランプ面で第１の光ディスク３０１を担持し、第２の光ディスク３０３の使用時には、スピンドルモータ出力軸３３の軸方向に移動可能に保持された第１のターンテーブル３１５とセンタリング部材３１７が第２の光ディスク３０３により第２のターンテーブル３２５の担持面以下の位置までスピンドルモータ出力軸３３３の軸方向に移動し、第２のターンテーブル３２５のクランプ面と磁気チャッキング機構３２８により第２のターンテーブル３２５で第２の光ディスク３０３を担持する。これにより、スピンドルモータ３１２を正逆いずれの方向に回転させた場合にも何等問題なく、同一のメカニズムで例えば現行のＣＤ−ＲＯＭ及び、次世代のＳＤ−ＲＯＭ、ＳＤ−ＲＡＭと称されるディスク径１２０ｍｍの光ディスクと３．５インチタイプと称される次世代型の小型の光ディスクと択一的にチャッキングして光ディスク駆動装置に装着することが可能となる。
【０１１４】
（第６の実施形態）
図３１〜図３４を参照して第６の実施形態を説明する。
本実施形態のディスククランプ装置は、所定の径のスピンドル孔を有する第１のディスクカートリッジに収納された第１の光ディスク４０１と、第１のディスクカートリッジのスピンドル孔よりも径の小さなスピンドル孔を有する第２のディスクカートリッジに収納された第２の光ディスク４０２とを同一のスピンドルモータ４１３で回転駆動するためのディスククランプ装置である。
【０１１５】
そして、光ディスク４０１，４０２の周方向に沿う軸を中心に回転可能であって、第１の回転位置で第１の光ディスク４０１を支持する第１のディスク支持面Ａと、第２の回転位置で第２の光ディスク４０２を支持する第２のディスク支持面Ｂをそれぞれ有する複数のディスク支持部材４０９をスピンドルモータ出力軸４１６とともに回転するように出力軸４１６の周囲に配設している。
【０１１６】
まず、本実施形態で使用する図面について説明すると、図３１は、第１の光ディスク（ディスク径１２０ｍｍの光ディスク）４０１がクランプされる前の第１の光ディスク４０１とディスククランプ装置を含む光ディスク駆動装置の状態を示す簡略化した断面図である。
【０１１７】
図３２は、第１の光ディスク（ディスク径１２０ｍｍの光ディスク）４０１がクランプされた時の第１の光ディスク４０１とディスククランプ装置を含む光ディスク駆動装置の状態を示す簡略化した断面図である。
【０１１８】
図３３は、第２の光ディスク（３．５インチタイプの光ディスク）４０２がクランプされる前の第２の光ディスク４０２とディスククランプ装置を含む光ディスク駆動装置の状態を示す簡略化した断面図である。
【０１１９】
図３４は、第２の光ディスク（３．５インチタイプの光ディスク）４０２がクランプされた時の第２の光ディスク４０２とディスククランプ装置を含む光ディスク駆動装置の状態を示す簡略化した断面図である。
【０１２０】
図３１および図３２において、第１の光ディスク４０１は図示しない光ディスクカートリッジに回転自在に収納されている。また、第１の光ディスク４０１は貼り合わせ・両面型又は単板の片面型のいずれでもよいディスク径１２０ｍｍの光ディスクである。第１の光ディスク４０１の中央部には、センター位置決めのための中心孔４０３が開けられている。
【０１２１】
図３３および図３４においては、第２の光ディスク４０２は図示しない光ディスクカートリッジ内に、回転自在に収納されている。第２の光ディスク４０２は、例えば貼り合わせ・両面型の３．５インチ光ディスクである。第２の光ディスク４０２の中央部両面には、金属薄板よりなるセンターハブ４０４ａ，４０４ｂが設けられており、これらのセンターハブ４０４ａ，４０４ｂにはセンター位置決めのための中心孔４０５が開けられている。
【０１２２】
次に、第１および第２の光ディスク４０１，４０２に対応したクランプ機構について、それぞれ詳細に説明する。
まず、第１の光ディスク４０１に対応したクランプ機構について説明する。
【０１２３】
図３１において、センタリング部材４０６は圧縮コイルバネ４０７により位置規制部材４０８に押しつけられ、スピンドル軸方向の上限位置にある。ディスク支持部材４０９は、図中に破線で示されたターンテーブル４１０に、固定ピン４１１により固定ピン４１１の軸方向（紙面の垂直方向）に回転自由に固定されている。なお、このディスク支持部材４０９は、ディスクの周上に少なくとも３個以上配置され、図３１において破線で示される状態が自然状態となるように、図示しない板バネ等の手段により位置決めされており、センタリング部材４０６に固定された支持部材押さえ４１２により図中の実線で示す位置に位置決めされている。
【０１２４】
そこで、図示しない光ディスクカートリッジが所定の位置までローディングされた後、スピンドルモータ４１３が所定の位置までクランプ部材４１４の方向に図示しない移動機構により移動する。これにより図３２に示すように、第１の光ディスク４０１（ディスク径１２０ｍｍの光ディスク）は中心孔４０３とセンタリング部材４０６によりセンタリングされ、スピンドルモータ４１３の出力軸４１６に固定された永久磁石４１７とクランプ部材４１４に固定された磁性体４１８による磁気チャッキング力により、第１の光ディスク４０１は回転自在にディスク支持部材４０の第１のディスク支持面Ａとクランプ部材４１４によりクランプされる。なお、スピンドルモータ４１３が所定の位置まで移動する代わりに、光ディスクカートリッジが所定の位置までスピンドルモータ４１３の方向に移動する構成でもよいことは言うまでもない。
【０１２５】
次に、第２の光ディスク４０２に対応したクランプ機構について説明する。
【０１２６】
図３３において図３１と同様に、センタリング部材４０６は圧縮コイルバネ４０７により位置規制部材４０８に押し付けられ、スピンドルモータ出力軸方向の上限位置にある。ディスク支持部材４０９は、図中に破線で示されたターンテーブル４１０に、固定ピン４１１により固定ピン４１１の軸方向（紙面の垂直方向）に回転自由に固定されている。なお、このディスク支持部材４０９は、ディスクの周上に少なくとも３個以上配置され、図３１において破線で示される状態が自然状態となるように、図示しない板バネ等の手段により位置決めされており、センタリング部材４０６に固定された支持部材押さえ４１２により図中の実線で示す位置に位置決めされている。
【０１２７】
そこで、図示しない光ディスクカートリッジが所定の位置までローディングされた後、スピンドルモータ１３が所定の位置までクランプ部材４１４の方向に図示しない移動機構により移動する。ここで、スピンドルモータ４１３が所定の位置まで移動する代わりに、光ディスクカートリッジが所定の位置までスピンドルモータ４１３の方向に移動する構成でもよいことは言うまでもない。この移動に伴い、図３４に示すようにセンタリング部材４０６は第２の光ディスク４０２のセンターハブ４０４ａに押され、スピンドルモータ４１３の出力軸４１６の方向に押し下げられる。従って、センタリング部材４０６に固定された支持部材押さえ４１２も押し下げられ、ディスク支持部材４０９は図３４の実線に示すような位置に位置決めされる。そして、第２の光ディスク４０２に設けられた中心孔４０５にセンターピン４１９が嵌合して、スピンドルモータ４１３の出力軸４１６に固定された永久磁石４１７とセンターハブ４０４ａによる磁気チャッキング力により、第２の光ディスク４０２は回転自在にディスク支持部材４０９の第２のディスク支持面Ｂにクランプされる。
【０１２８】
このように本実施形態のディスククランプ装置においては、第１の光ディスク４０１の使用時には、ディスク支持部材４０９の第１のディスク支持面Ａにより第１の光ディスク４０１を担持し、第２の光ディスク４０２の使用時には、クランプ部材４０９が回転して第２のディスク支持面Ｂにより第２の光ディスク４０３を担持しするようにしたことによって、同一のメカニズムで例えば現行のＣＤ−ＲＯＭおよび次世代のＳＤ−ＲＯＭ、ＳＤ−ＲＡＭと称されるディスク径１２０ｍｍの光ディスクと３．５インチタイプと称される次世代型の小型の光ディスクとを択一的にチャッキングして光ディスク駆動装置に装着することが可能となる。
【０１２９】
（第７の実施形態）
図３５〜図４０を参照して第７の実施形態について説明する。
【０１３０】
本実施形態では、まずスピンドルモータの出力軸と結合されるチャック部材５０５と、このチャック部材５０５と光ディスク５０１を結合すると共にカートリッジケースに回転自在に拘束された固定部材５０４とを有するディスクカートリッジを提供する。
【０１３１】
また、本実施形態のディスククランプ装置は、スピンドルモータの出力軸と結合されるチャック部材５０５および該チャック部材５０５と光ディスク５０１を結合すると共にカートリッジケースに回転自在に拘束された固定部材５０４とを有する第１のディスクカートリッジ５０２に収納された第１の光ディスク５０１と、スピンドルモータ５０９の出力軸と結合されるチャック面（センターハブ５１４ａ，５１４ｂ）を有する光ディスク５１１または５４１とを同一のスピンドルモータ５０９で回転駆動するディスククランプ装置であって、スピンドルモータ５０９はチャック部材５０５またはチャック面（センターハブ５１４ａ，５１４ｂ）と磁気的に結合可能に構成されたロータ部５０９ａを有し、第１の光ディスク５０１の使用時にはチャック部材５０５とロータ部５０９ａが磁気的に結合し、第２の光ディスク５１１または５４１の使用時にはチャック面（センターハブ５１４ａ，５１４ｂ）とロータ部５０９ａが磁気的に結合する。
【０１３２】
本実施形態の他のディスククランプ装置は、スピンドルモータ５０９の出力軸と結合されるチャック部材５０５が該チャック部材５０５と光ディスク５３１を結合する固定部材５０４を介して結合された第１の光ディスク５３１と、スピンドルモータの出力軸と結合されるチャック面（センターハブ５１４ａ，５１４ｂ）を有する第２の光ディスク５４１とを同一のスピンドルモータで回転駆動するためのディスククランプ装置であって、スピンドルモータ５０９はチャック部材５０５またはチャック面（センターハブ５１４ａ，５１４ｂ）と磁気的に結合可能に構成されたロータ部５０９ａ（出力軸）を有し、第１の光ディスク５３１の使用時にはチャック部材５０５とロータ部５０９ａが磁気的に結合し、第２の光ディスク５４１の使用時にはチャック面（センターハブ５１４ａ，５１４ｂ）とロータ部５０９ａが磁気的に結合する。
【０１３３】
まず、本実施形態で使用する図面について説明すると、図３５は、第１の光ディスク（ディスク径１２０ｍｍの光ディスク）５０１がクランプされる前の第１の光ディスクカートリッジ（ディスク径１２０ｍｍの光ディスクカートリッジ）５０２の状態を示す簡略化した断面図である。
【０１３４】
図３６は、第１の光ディスク（ディスク径１２０ｍｍの光ディスク）カートリッジ５０２の斜視図である。
【０１３５】
図３７は第１の光ディスクカートリッジ５０２のシャッタを開けた状態での断面図である。
【０１３６】
図３８は、第２の光ディスク（３．５インチタイプの光ディスク）５０３がクランプされた時のカートリッジに収納された第２の光ディスク（３．５インチタイプの光ディスク）５１１とディスククランプ装置５０９の状態を示す簡略化した断面図である。
【０１３７】
図３９は、第３の光ディスク５３１（ディスク径１２０ｍｍのカートリッジを持たない光ディスク）がクランプされる場合の光ディスク５３１とディスククランプ装置５０９の結合状態を示す簡略化した断面図である。
【０１３８】
図４０は、第４の光ディスク（３．５インチタイプのカートリッジを持たない光ディスク）５４１がクランプされる場合の光ディスク５４１とディスククランプ装置５０９の結合状態を示す簡略化した断面図である。
【０１３９】
図３５において、第１の光ディスクカートリッジ５０２内には第１の光ディスク５０１が回転自在に収納されている。第１の光ディスク５０１は、貼り合わせもしくは両面型又は単板の片面型のいずれでもよいディスク径１２０ｍｍの光ディスクである。第１の光ディスク５０１の中央部には、センター位置決めのための中心孔５０１ａが開けられている。第１の光ディスク５０１はスピンドルモータとの結合部材であるチャック部材５０５と、このチャック部材５０５と光ディスク５０１を結合するための固定部材５０４により挟まれている。図示した状態では、固定部材５０４の構成要素である永久磁石がチャック部材５０５と磁路を形成して光ディスク５０１が磁気的に５０４，５０５と結合される。このため、チャック部材５０５がモータと結合されると光ディスク５０１、固定部材５０４、チャック部材５０５は一体となって回転することが可能となる。また、固定部材５０４、チャック部材５０５がディスクが無い状態でも移動しないように位置規制部材５０６ａ，５０６ｂがカートリッジ５０２に設けられている。
【０１４０】
光ディスクカートリッジ５０２の中央部両面にはスピンドル孔５０７ａ，５０７ｂが設けられており、また図示しない記録／再生用光学系から第１の光ディスク５０１に情報記録再生用レーザビームを照射して情報の記録／再生を行うためのアクセス窓と半径方向にスライド自在なシャッタ５０８が設けられている。このシャッタ５０８は、光ディスクカートリッジ５０２の非使用状態では、図示しないシャッタバネによってスピンドル孔５０７ａ，５０７ｂおよびアクセス窓５０３ａ，５０３ｂを閉鎖し、光ディスクカートリッジ５０２の使用時のみ、これら開放させる。
【０１４１】
図３７において、ディスククランプ装置（スピンドルモータ）５０９は結合面を有するスピンドルロータ５０９ａ（スピンドルモータ出力軸）とこれを回転自在に支持しているスピンドルステータ５０９ｂから構成されている。ロータ５０９ａには図示しない永久磁石が備えられており、スピンドル孔により中心位置決めされた第１の光ディスク５０１は、チャック部材５０５とロータ５０９ａの磁気的結合により、回転駆動が可能となる。また、永久磁石をチャック部材５０５に具備させて、ロータ５０９ａはディスク結合用の永久磁石を有さない構成であっても構わない。また、チャック部材５０５とロータ５０９ａは、スクリューねじ、ないしは他の力学的・機械的結合方法で結合して一体化してもよい。
【０１４２】
次に、図３８においては第２の光ディスクカートリッジ５１２内には第２の光ディスク５１１が回転自在に収納されている。第２の光ディスク５１１は、例えば貼り合わせもしくは両面型の３．５インチ光ディスクである。第２の光ディスク５１１の中央部両面には、金属薄板よりなるセンターハブ５１４ａ，５１４ｂが設けられており、これらのセンターハブ５１４ａ，５１４ｂにはセンター位置決めのための中心孔５１５ａ，５１５ｂが開けられている。第２の光ディスクカートリッジ５０４の中央部両面には、スピンドル孔５１７ａ，５１７ｂが設けられている。
【０１４３】
また、第２の光ディスクカートリッジ５１１は、記録／再生用光学系から第２の光ディスク５１１に情報記録再生用レーザビームを照射して情報の記録／再生を行うためのアクセス窓と半径方向にスライド自在なシャッタ（いずれも図示せず）が設けられている。このシャッタは、第２の光ディスクカートリッジ５１２の非使用状態では、図示しないシャッタバネによってアクセス窓を閉鎖し、第２の光ディスクカートリッジ５０４の使用時のみ、これらを開放させる。
【０１４４】
ディスククランプ装置（スピンドルモータ）５０９は、結合面を有するスピンドルロータ５０９ａ（スピンドルモータ出力軸）と、このスピンドルロータ５０９ａを回転自在に支持するスピンドルステータ５０９ｂから構成されている。ロータ５０９ａには図示しない永久磁石を備えられており、スピンドル孔５１５ｂにより中心位置決めされた光ディスク５１１は金属部材で構成されたセンターハブ５１４ｂとロータ５０９ａの磁気的結合により、回転駆動が可能となる。また、永久磁石をセンターハブ５１４ｂに具備させて、ロータ５０９ａはディスク結合用の永久磁石を有さない構成であっても構わない。
【０１４５】
このように本実施形態のディスククランプ装置では、スピンドルモータの出力軸と直接結合するチャック面を有する光ディスクおよびチャック面を有しない光ディスクのいずれを回転駆動する場合にも何等問題なくクランプを行い、光ディスクとスピンドルモータの出力軸とが結合される。
【０１４６】
よって同一のメカニズムで例えば現行のＣＤ−ＲＯＭおよび次世代のＳＤ−ＲＯＭ，ＳＤ−ＲＡＭと称されるディスク径１２０ｍｍの光ディスクと３．５インチタイプと称される次世代型の小型の光ディスクとを択一的にチャッキングして光ディスク駆動装置に装着することが可能となる。
【０１４７】
【発明の効果】
以上説明したように、本発明によればスピンドルモータを正逆いずれの方向にも回転できる構造とし、かつ同一のスピンドルモータとチャッキング機構によってサイズの異なる複数種類のディスク状媒体をチャッキングして駆動できるディスククランプ装置を提供することにある。
【０１４８】
また、本発明によればサイズの異なる２種類のディスク状記録媒体が取り付けられても、ディスク状媒体の中心軸線がほとんど変わらないディスククランプ装置を提供することができる。
【図面の簡単な説明】
【図１】第１の光ディスク（ディスク径１２０ｍｍの光ディスク）がクランプされる前の第１の光ディスクカートリッジ（ディスク径１２０ｍｍの光ディスクカートリッジ）とディスククランプ装置の状態を示す簡略化した断面図
【図２】図１に対応した要部断面図
【図３】図１に対応したスピンドルモータ部の断面図
【図４】第１の光ディスク（ディスク径１２０ｍｍの光ディスク）がクランプされた時の、第１の光ディスクカートリッジ（ディスク径１２０ｍｍの光ディスクカートリッジ）とディスククランプ装置の状態を示す簡略化した断面図
【図５】図４に対応した要部断面図
【図６】図４に対応したスピンドルモータ部の断面図
【図７】第２の光ディスク（３．５インチタイプの光ディスク）がクランプされる前の第２の光ディスクカートリッジ（３．５インチタイプの光ディスクカートリッジ）とカートリッジアダプタとディスククランプ装置の状態を示す簡略化した断面図
【図８】図７に対応した要部断面図
【図９】図７に対応したスピンドルモータ部の断面図
【図１０】第２の光ディスク（３．５インチタイプの光ディスク）がクランプされた時のカートリッジアダプタに収納された第２の光ディスクカートリッジ（３．５インチタイプの光ディスクカートリッジ）とディスククランプ装置の状態を示す簡略化した断面図
【図１１】図１０に対応した要部断面図
【図１２】図１０に対応したスピンドルモータ部の断面図
【図１３】本発明の第２の実施例に係わる第１の光ディスク（ディスク径１２０ｍｍ）がクランプされた状態の第１の光ディスク用カートリッジ（ディスク径１２０ｍｍ）とディスククランプ装置の状態を示す断面図
【図１４】図１３に対応した要部断面図
【図１５】本発明の第２の実施例に係わる第２の光ディスク（３．５インチディスク）がクランプされた状態の第２の光ディスク用カートリッジ（３．５インチディスク）とディスククランプ状態を示す断面図
【図１６】図１４に対応した要部断面図
【図１７】本発明の第３の実施例に係わる第１の光ディスク（ディスク径１２０ｍｍ）がクランプされた状態の第１の光ディスク用カートリッジ（ディスク径１２０ｍｍ）とディスククランプ装置の状態を示す断面図
【図１８】図１７に対応した要部断面図
【図１９】本発明の第３の実施例に係わる第２の光ディスク（３．５インチディスク）がクランプされた状態の第２の光ディスク用カートリッジ（３．５インチディスク）とディスククランプ状態を示す断面図
【図２０】図１９に対応した要部断面図
【図２１】本発明の第４の実施例に係わる第１の光ディスク（ディスク径１２０ｍｍ）がクランプされた状態の第１の光ディスク用カートリッジ（ディスク径１２０ｍｍ）とディスククランプ装置の状態を示す断面図
【図２２】図２１に対応した要部断面図
【図２３】本発明の第４の実施例に係わる第２の光ディスク（３．５インチディスク）がクランプされた状態の第２の光ディスク用カートリッジ（３．５インチディスク）とディスククランプ状態を示す断面図
【図２４】図２３に対応した要部断面図
【図２５】第１の光ディスク（ディスク径１２０ｍｍの光ディスク）がクランプされる前の第１の光ディスクカートリッジ（ディスク径１２０ｍｍの光ディスクカートリッジ）とディスククランプ装置の状態を示す簡略化した断面図
【図２６】図２５に対応した要部断面図
【図２７】第１の光ディスク（ディスク径１２０ｍｍの光ディスク）がクランプされた時の第１の光ディスクカートリッジ（ディスク径１２０ｍｍの光ディスクカートリッジ）とディスククランプ装置の状態を示す簡略化した断面図
【図２８】図２７に対応した要部断面図
【図２９】第２の光ディスク（３．５インチタイプの光ディスク）がクランプされた時の第２の光ディスクカートリッジ（３．５インチタイプの光ディスクカートリッジ）とディスククランプ装置の状態を示す簡略化した断面図
【図３０】図２９に対応した要部断面図
【図３１】第１の光ディスク（ディスク径１２０ｍｍの光ディスク）１がクランプされる前の第１の光ディスク１とディスククランプ装置の状態を示す簡略化した断面図
【図３２】第１の光ディスク（ディスク径１２０ｍｍの光ディスク）１がクランプされた時の第１の光ディスク１とディスククランプ装置の状態を示す簡略化した断面図
【図３３】第２の光ディスク（３．５インチタイプの光ディスク）２がクランプされる前の第２の光ディスク２とディスククランプ装置の状態を示す簡略化した断面図
【図３４】第２の光ディスク（３．５インチタイプの光ディスク）２がクランプされた時の第２の光ディスク２とディスククランプ装置の状態を示す簡略化した断面図
【図３５】第１の光ディスク（ディスク径１２０ｍｍの光ディスク）がクランプされる前の第１の光ディスクカートリッジ（ディスク径１２０ｍｍの光ディスクカートリッジ）の状態を示す簡略化した断面図
【図３６】第１の光ディスク（ディスク径１２０ｍｍの光ディスク）カートリッジの斜視図
【図３７】第１の光ディスク（ディスク径１２０ｍｍの光ディスク）がクランプされる前の第１の光ディスクカートリッジ（ディスク径１２０ｍｍの光ディスクカートリッジ）とディスククランプ装置の状態を示す簡略化した断面図
【図３８】第２の光ディスク（３．５インチタイプの光ディスク）がクランプされる前の第２の光ディスクカートリッジ（３．５インチタイプの光ディスクカートリッジ）のシャッタを開けた状態の断面図とディスククランプ装置の状態を示す簡略化した図
【図３９】第３の光ディスク（カートリッジを持たないディスク径１２０ｍｍの光ディスク）がクランプされた時の第３の光ディスクの断面とディスククランプの状態を示す簡略化した図
【図４０】第４の光ディスク（カートリッジを持たない３．５インチタイプの光ディスク）がクランプされた時の第４の光ディスク断面とディスククランプの状態を示す簡略化した図
【符号の説明】
１０１…第１の光ディスク
１０２…第１の光ディスクカートリッジ
１０３…第２の光ディスク
１０４…第２の光ディスクカートリッジ
１０５…カートリッジアダプタ
１０６…中心孔
１０７ａ，１０７ｂ…スピンドル孔
１０８ａ，１０８ｂ…センターハブ
１０９ａ，１０９ｂ…中心孔
１１０ａ，１１０ｂ…スピンドル孔
１１１ａ，１１１ｂ…スピンドル孔
１１２…スピンドルモータ
１１３…クランプ部材
１１４…位置規制部材
１１５…第２のターンテーブル
１１６…第１の圧縮コイルバネ
１１７…センタリング部材
１１８…第２の圧縮コイルバネ
１１９ａ，１１９ｂ…第１のロックピン
１２１ａ，１２１ｂ…第２のロックピン
１２３ａ，１２３ｂ…第３の圧縮コイルバネ
１２５…第１のターンテーブル
１２７…センターピン
１２９…磁性体
１３０…永久磁石
１３１…センターピン孔
１３２ａ，１３２ｂ…ロックピン孔
１３３…出力軸
２０１…第１の光ディスク
２０２…第１の光ディスクカートリッジ
２０３…第２の光ディスク
２０４…第２の光ディスクカートリッジ
２０６…中心孔
２０７ａ，２０７ｂ…スピンドル孔
２０８ａ，２０８ｂ…センターハブ
２０９ａ，２０９ｂ…中心孔
２１０ａ，２１０ｂ…スピンドル孔
２１２…スピンドルモータ
２１３…クランプ部材
２１４…位置規制部材
２１５…スピンドル軸
２１６…第１の光ディスク用ターンテーブル
２１７…第２の光ディスク用ターンテーブル
２１８…第１の光ディスク用センタリング部材
２１９，２２６…第１の光ディスク用クランプ用磁石
２２０，２２１…ロック用バネ部材
２２２…ロック用玉
２２３ａ，２２３ｂ…ロック用切り欠き溝
２２５…センタリング用バネ部材
２２７…第２の光ディスク用センタリング部位
２２８…第２の光ディスク用磁石
２３１ａ，２３１ｂ…光ディスクカートリッジ検出用センサ
２３３…直動ソレノイド
２３４…回転中心
２３５…ロッド
２３６…爪部位
２４１…バネ部材
２４２…第１の光ディスク用センタリング用ロッド
３０１…第１の光ディスク
３０２…第１の光ディスクカートリッジ
３０３…第２の光ディスク
３０４…第２の光ディスクカートリッジ
３０６…中心孔
３０７ａ，３０７ｂ…スピンドル孔
３０８ａ，３０８ｂ…センターハブ
３０９…中心孔
３１０ａ，３１０ｂ…スピンドル孔
３１２…スピンドルモータ
３１３…クランプ部材
３１４…位置規制部材
３１５…第１のターンテーブル
３１６…引っ張りコイルバネ
３１７…センタリング部材
３１８…圧縮コイルバネ
３１９…第２の磁気チャッキング機構
３２０…第１のストッパ
３２１…引っ張り板
３２２…第２のストッパ
３２３…レバー
３２５…第２のターンテーブル
３２７…センターピン
３２９…磁性体（第１の磁気チャッキング機構）
３３０…永久磁石
３３１…センターピン孔
３３３…出力軸
４０１…第１の光ディスク
４０２…第２の光ディスク
４０３…第１の光ディスクの中心孔
４０４…センターハブ
４０５…第２の光ディスクの中心孔
４０６…センタリング部材
４０７…コイルバネ
４０８…位置規制部材
４０９…ディスク支持部材
４１０…ターンテーブル
４１１…固定ピン
４１２…支持部材押さえ
４１３…スピンドルモータ
４１４…クランプ部材
４１６…出力軸
４１７…永久磁石
４１８…磁性体
４１９…センターピン
５０１…第１の光ディスク
５０２…第１の光ディスクカートリッジ
５０３ａ，５０３ｂ…アクセス窓
５０４…固定部材（ディスククランプ）
５０５…チャック部材（チャッククランプ）
５０６ａ，５０６ｂ…位置規制部材
５０７ａ，５０７ｂ…スピンドル孔
５０８…シャッタ
５０９ａ…スピンドルロータ
５０９ｂ…スピンドルステータ
５１０ａ，５１０ｂ…スピンドル孔
５１１…第２の光ディスク
５１２…第２の光ディスクカートリッジ
５１４ａ，５１４ｂ…センターハブ
５１５ａ，５１５ｂ…中心孔
５３１…第３の光ディスク
５４１…第４の光ディスク
【図１】
0003641060.tif 000002
【図２】
0003641060.tif 000003
【図３】
0003641060.tif 000004
【図４】
0003641060.tif 000005
【図５】
0003641060.tif 000006
【図６】
0003641060.tif 000007
【図７】
0003641060.tif 000008
【図８】
0003641060.tif 000009
【図９】
0003641060.tif 000010
【図１０】
0003641060.tif 000011
【図１１】
0003641060.tif 000012
【図１２】
0003641060.tif 000013
【図１３】
0003641060.tif 000014
【図１４】
0003641060.tif 000015
【図１５】
0003641060.tif 000016
【図１６】
0003641060.tif 000017
【図１７】
0003641060.tif 000018
【図１８】
0003641060.tif 000019
【図１９】
0003641060.tif 000020
【図２０】
0003641060.tif 000021
【図２１】
0003641060.tif 000022
【図２２】
0003641060.tif 000023
【図２３】
0003641060.tif 000024
【図２４】
0003641060.tif 000025
【図２５】
0003641060.tif 000026
【図２６】
0003641060.tif 000027
【図２７】
0003641060.tif 000028
【図２８】
0003641060.tif 000029
【図２９】
0003641060.tif 000030
【図３０】
0003641060.tif 000031
【図３１】
0003641060.tif 000032
【図３２】
0003641060.tif 000033
【図３３】
0003641060.tif 000034
【図３４】
0003641060.tif 000035
【図３５】
0003641060.tif 000036
【図３６】
0003641060.tif 000037
【図３７】
0003641060.tif 000038
【図３８】
0003641060.tif 000039
【図３９】
0003641060.tif 000040
【図４０】
0003641060.tif 000041